(57)【特許請求の範囲】
【請求項１】
キャビネット本体の内部に上方の収納領域部と下方の収納領域部とが形成され、上方の収納領域部に引出しが設けられ、下方の収納領域部に引出し又は開閉扉が設けられた収納キャビネットにおいて、
上方の引出しの前板下端と下方の引出しの前板上端又は下方の開閉扉上端との間に間隙を設けて投入口を形成し、
上方の引出しの底面を手前側が奥側に比べて高い位置となる段状に形成し、
格納状態において上方の引出しの手前側の底面と下方の収納領域部との間に投入に必要な高さ寸法を確保した投入空間部を形成したことを特徴とする
収納キャビネット。
【請求項２】
前記上方の引出しの奥側に形成した収納深さ寸法の大きい収納凹部の底面の高さ位置を、下方の引出しの前板上端又は下方の開閉扉上端よりも上方となるように設定した請求項１記載の収納キャビネット。
【請求項３】
前記上方の引出しの前板に、前記投入空間部の投入口を開閉する目隠し板を揺動自在に吊り下げた請求項１又は２記載の収納キャビネット。
【発明の詳細な説明】
【技術分野】
【０００１】
本発明は、上方の引出しと下方の収納部との間に、下方の収納部用の投入口部を設けた収納キャビネットに関するものである。
【背景技術】
【０００２】
従来、収納キャビネットには、キャビネット本体の内部に、収納領域部と、キャビネット本体の手前外側から該収納領域部へ通じる投入空間部とが形成されたものがある（特許文献１）。
【特許文献１】特開２００２−３６０３５６公報
【発明の開示】
【発明が解決しようとする課題】
【０００３】
ところで、キャビネット本体の手前外側から収納領域部へ被収納物を投入するときには、被収納物の大半が投入空間部の手前側を通過し、少量の被収納物が投入空間部の奥側を通過するのが一般的である。しかし、前記特許文献１に記載されている収納キャビネットは、投入空間部の高さ寸法が手前側から奥側にわたって同一となっているため、投入空間部の奥側が被収納物の投入に利用されない無駄な空間となっている。
【０００４】
そこで、本発明は、従来の収納キャビネットの上記欠点に鑑み創案したものであって、投入空間部の奥側に無駄な空間を発生させないようにしてキャビネット本体内部の空間の有効活用した収納キャビネットの提供することを目的とする。
【課題を解決するための手段】
【０００５】
投入空間部の奥側に無駄な空間を発生させないようにしてキャビネット本体内部の空間を有効活用するために請求項１記載の本発明が採用した手段は、キャビネット本体の内部に上方の収納領域部と下方の収納領域部とが形成され、上方の収納領域部に引出しが設けられ、下方の収納領域部に引出し又は開閉扉が設けられた収納キャビネットにおいて、上方の引出しの前板下端と下方の引出しの前板上端又は下方の開閉扉上端との間に間隙を設けて投入口を形成し、上方の引出しの底面を手前側が奥側に比べて高い位置となる段状に形成し、格納状態において上方の引出しの手前側の底面と下方の収納領域部との間に投入に必要な高さ寸法を確保した投入空間部を形成したことを特徴とする収納キャビネットである。
本発明にあっては、引出しを格納状態にしたとき、投入空間部の高さ寸法を確保した手前側を利用して収納領域部へ収納物を投入することができると共に、投入空間部の奥側の高さ寸法を小さしくて引出しの奥側に深さ寸法の大きな収納部分を形成できる。
なお前記収納キャビネットにおいて、請求項２に記載の如く、前記上方の引出しの奥側に形成した収納深さ寸法の大きい収納凹部の底面の高さ位置を、下方の引出しの前板上端又は下方の開閉扉上端よりも上方となるように設定してもよい。
【０００６】
投入空間部を目隠して見栄えよくするために請求項３記載の本発明が採用した手段は、前記上方の引出しの前板に、前記投入空間部の投入口を開閉する目隠し板を揺動自在に吊り下げた請求項１又は２記載の収納キャビネットである。
本発明にあっては、目隠し板は、吊り下げ状態のときには投入空間部の投入口を遮蔽し、吊り下げ状態から押されて揺動したときには投入空間部の投入口を開いて投入可能状態となる。また、本発明にあっては、目隠し板が、引出しと一体に移動するため、引出しの移動の障害となることはない。
【０００７】
前記収納キャビネットにおいて、投入空間部の投入口の目隠しを必要としない使用態様に対応できるようにするため、前記引出しに保持具を設け、該保持具は、前記目隠し板を水平状態にしたときに水平状態を保持する保持状態になると共に、水平状態から吊り下げ方向へ強制移動したときに保持状態を解除する解除状態となるように構成してもよい。
かかる構成によれば、目隠し板を保持具で水平状態に保持することで、投入空間部の投入口を目隠しすることなく開いた状態を維持できる。
【発明の効果】
【０００８】
請求項１記載の本発明に係る収納キャビネットは、引出しを格納状態にしたとき、投入空間部の奥側の高さ寸法を小さくして引出しの奥側に深さ寸法の大きな収納部分を形成できるため、投入空間部の奥側に無駄な空間を発生させないようにしてキャビネット本体内部の空間を有効活用することができる
請求項２記載の本発明に係る収納キャビネットは、上方の引出しを、キャビネット本体内の格納位置から、キャビネット本体の手前外側の引出位置まで引き出し自在にできる。
請求項３記載の本発明に係る収納キャビネットは、引出しの移動の障害とならないように設けられた目隠し板で投入空間部を目隠することで、見栄えよくできる。
【発明を実施するための最良の形態】
【０００９】
本発明に係る収納キャビネット（以下、「本発明収納キャビネット」と言う。）を図面に示す実施形態に基づいて説明する。
【００１０】
（第１の実施の形態）
図１乃至図４は本発明収納キャビネット１の実施の形態を示すものであり、図１は上方の引出し６及び下方の収納領域部Ｃに配置した下方の引出し７を格納した状態を示すものであって、（Ａ）は正面図、（Ｂ）は右側縦断面図である。図２は上方の引出し６を格納すると共に下方の引出し７を引き出した状態を示すものであって、上方の引出し６を断面し他の部分を破断した右側面図である。図３は上方の引出し６を引き出すと共に下方の引出し７を格納した状態を示すものであって、上方の引出し６を破断し他の部分を断面した右側面図である。図４は保持具３４の近辺を拡大して示すものであって、（Ａ）は目隠し板３０を水平に保持している状態の右側面図、（Ｂ）は同状態の背面図、（Ｃ）は目隠し板３０を揺動自在に吊り下げている非保持状態を示す右側面図、（Ｄ）は同状態の背面図である。
【００１１】
本例の本発明収納キャビネット１は、脱衣所に設置される脱衣用収納キャビネットであり、キャビネット本体２が上半部２Ａ及び下半部２Ｂの二段に形成され、上半部２Ａが開閉扉３及び棚４，４を備えた収納部５となっている。キャビネット本体２の下半部２Ｂは、左右の側板８，９、底板１０、背板１１及び仕切板１２を連結して構成され、その内部に、上方の収納領域部Ｂと、下方の収納領域部Ｃと、これら上下の収納領域部Ｂ，Ｃに挟まれた中間の投入空間部Ｄとが形成され、上方の収納領域部Ｂに引出し６が、また下方の収納領域部Ｃに引出し７がそれぞれ設けられている。中間の投入空間部Ｄは、キャビネット本体２の手前外側Ｋから下方の収納領域部Ｃへ衣服等の収納物を投入できるようになっている。
【００１２】
前記下方の引出し７は、左右の側板１４，１５、底板１６、背板１７及び前板１８を連結して構成され、前板１７と背板１７の間に上方が開口した収納凹部７ａが形成され、収納凹部７ａに収納用かご１９を着脱自在に備えることができるようにしてある。下方の引出し７は、前板１７の正面側に把手３７が取付けられ、引き出し操作をし易くしてある。下方の引出し７は、左右の側板１４，１５とキャビネット本体２の左右の側板８，９との間にスライド案内手段２０，２０が配設され、スライド案内手段２０，２０に案内されて収納領域部Ｃに位置する格納位置Ｅ（図１及び図３参照）から手前外側Ｋに位置する引出位置Ｆ（図２参照）まで引き出し自在となっており、引出位置Ｆで収納用かご１９を着脱できるようにしてある。本例の本発明収納キャビネット１は、収納用かご１９を備えた下方の引出し７を格納位置Ｅに格納した状態としたとき、投入空間部Ｄの投入口Ｄａから収納領域部Ｃの収納用かご１９へ衣服等を投入できるようになる。
【００１３】
前記下半部２Ｂの下方の収納領域部Ｃは、前記下方の引出し７を配置する以外に、図示は省略したが、下半部２Ｂの左右の側板８，９のいずれか一方に蝶番で開閉扉を取り付け、下半部２Ｂの内部に配置した収納用かご１９を開いた開閉扉を介して着脱できるように構成することもある。
【００１４】
前記上方の引出し６は、左右の側板２１，２２、前板２３、中仕切板２４、背板２５及び二枚の底板２６，２７を連結して構成され、上方が開口した手前及び奥側の収納凹部６ａ，６ｂが形成され、段状に形成した底面の手前側２６ａを奥側２７ａに比べて高い位置とすることで、手前の収納凹部６ａに比べて奥側の収納凹部６ｂの収納深さ寸法を大きくしてある。上方の引出し６は、前板２３の正面側に把手３７が取付けられ、引き出し操作をし易くしてある。上方の引出し６は、左右の側板２１，２２とキャビネット本体２の左右の側板８，９との間にスライド案内手段２８，２８が配設され、スライド案内手段２８，２８に案内されて投入空間部Ｄの直上に位置する格納位置Ｇ（図１及び図２参照）からキャビネット本体２の手前外側Ｋの引出位置Ｊ（図３参照）まで引き出し自在となっている。上方の引出し６は、手前側の底板２６を奥側の底板２７に比べて高い位置とすることで、格納位置Ｇへ押し込んだとき、投入空間部Ｄの手前側に投入に必要な高さ寸法Ｈ１を確保すると共に、投入空間部Ｄの奥側の高さ寸法Ｈ２を小さくして奥側に深さ寸法の大きな収納部分６ｂを形成することになる。上方の引出し６は、手前の収納凹部６ａに箱入り粉洗剤３５等の背丈の低い物を収納できると共に、奥側の収納凹部６ｂにボルト入りの柔軟剤３６等の背丈の高い物を収納することができるようになっている。
【００１５】
本例の本発明収納キャビネット１は、上下の引出し６，７を各収納領域部Ｂ，Ｃへ格納したときに、上方の引出し６の前板２３下端と下方の引出し７の前板１８上端との間に間隙を設けて投入空間部Ｄの投入口Ｄａを形成するようになっている。本発明収納キャビネット１は、上方の引出し６に、投入空間部Ｄの投入口Ｄａを開閉するための目隠し板３０を揺動自在に吊り下げてある。目隠し板３０は、不透明又は半透明の合成樹脂板等から形成され、上方の引出し６の前板２３の下縁裏側に左右の蝶番３１，３１を介して吊り下げてある。目隠し板３０は、吊り下げ状態のときには投入口Ｄａを遮蔽し、投入の際に吊り下げ状態から押されて傾斜したときには投入口Ｄａを開いて投入可能状態となる。目隠し板３０は、引出し６と一体に移動するため、引出し６の移動の障害となることはない。もし、前記特許文献１の如く、キャビネット本体に目隠し板３０を吊り下げた場合には、目隠し板３０に引出し６の奥側が衝突して引出しの移動の障害となる。
【００１６】
本例の本発明収納キャビネット１は、投入空間部Ｄの投入口Ｄａの目隠しを必要としない使用態様に対応できるように、引出し６に保持具３４，３４を設けている。各保持具３４は、図４に示す如く、引出し６の前板２３の下縁裏側に取着されており、目隠し板３０に取着された被保持棒３３と対となって保持機構を構成している。各保持具３４は、被保持棒３３の先端に形成されている大径球状の被保持端部３３ａ側を無理バメ状態で出入させる凹部３４ａを形成してある。本例の各保持具３４及び各被保持棒３３は、前記蝶番３１と一体に形成され、コンパクト化を図っている。各保持具３４は、目隠し板３０を水平状態にしたときには水平状態を保持する保持状態（図４（Ａ）（Ｂ）参照）になると共に、目隠し板３０を水平状態から吊り下げ方向へ強制移動したときには保持状態を解除する解除状態（同図（Ｃ）（Ｄ）参照）となる。本発明収納キャビネット１は、目隠し板３０を保持具３４，３４で水平状態に保持することで、投入空間部Ｄの投入口Ｄａを目隠しすることなく開いた状態を維持できる。
【００１７】
なお、目隠し板３０を水平状態に保持するために引出し６に設ける保持具の他の態様としては、図示は省略したが、目隠し板３０の縁部を掛止する弾性の掛止部を有する保持具とし、引出し６の底板２６等の適所に設けることもある。この場合、目隠し板３０を水平状態にしたときには、保持具の掛止部に目隠し板３０の縁部が掛止して水平状態を保持し、目隠し板３０を水平状態から吊り下げ方向へ強制移動したときには、目隠し板３０の縁部が保持具の掛止部から外れて保持状態を解除することになる。
【産業上の利用可能性】
【００１８】
本発明収納キャビネット１は、脱衣用収納キャビネットに適用する以外に、図示は省略したが、塵箱付きのキャビネットに適用することも可能である。塵箱付きのキャビネットに適用する場合には、前記収納用かご１９を塵箱に置換するとよい。
【図面の簡単な説明】
【００１９】
【図１】本発明収納キャビネットの実施の形態において、上方の引出し及び下方の収納領域部に配置した下方の引出しを格納した状態を示すものであって、（Ａ）は正面図、（Ｂ）は右側縦断面図である。
【図２】同実施の形態において、上方の引出しを格納すると共に下方の引出しを引き出した状態を示すものであって、上方の引出しを断面し他の部分を破断した右側面図である。
【図３】同実施の形態において、上方の引出しを引き出すと共に下方の引出しを格納した状態を示すものであって、上方の引出しを破断し他の部分を断面した右側面図である。
【図４】保持具の近辺を拡大して示すものであって、（Ａ）は目隠し板を水平に保持している状態の右側面図、（Ｂ）は同状態の背面図、（Ｃ）は目隠し板を揺動自在に吊り下げている非保持状態を示す右側面図、（Ｄ）は同状態の背面図である。
【符号の説明】
【００２０】
２…キャビネット本体、６…引出し、２６ａ，２７ａ…底面、３０…目隠し板、３４…保持具、Ｃ…収納領域部、Ｄ…投入空間部、Ｇ…格納位置、Ｊ…引出位置、
【図１】
0004771531.tif 000002
【図２】
0004771531.tif 000003
【図３】
0004771531.tif 000004
【図４】
0004771531.tif 000005